(57)【特許請求の範囲】
【請求項１】
建物の床上の隠蔽壁によって隠蔽されるように前記床上に配置され、かつ給水管の下流端及び平常供給管の上流端が接続された貯留槽と、
前記貯留槽から延びる非常供給管と、
ガス圧を導入するガス圧導入部と、
前記給水管及び前記平常供給管のうち一方の管に介在され、前記一方の管を開通させ、かつ前記ガス圧導入部を遮断する平常位置と、前記ガス圧導入部を前記一方の管の貯留槽側の管部分を介して前記貯留槽と連通させ、かつ前記一方の管の貯留槽とは反対側の管部分を遮断する非常位置との間で切り替え操作可能な切替バルブと、
前記給水管及び前記平常供給管のうち他方の管に介在された開閉バルブと、
を備え、前記切替バルブの切替操作ハンドル及び前記開閉バルブの開閉操作ハンドルが、前記隠蔽壁の点検口に臨むように配置され、前記切替操作ハンドルと前記開閉操作ハンドルの間隔が、２１０ｍｍ以下であることを特徴とする建物の貯給水装置。
【請求項２】
前記切替操作ハンドル及び前記開閉操作ハンドルどうし間の間隔が、前記点検口の幅以下であり、前記点検口が２１０ｍｍ角以下の四角形であることを特徴とする請求項１に記載の貯給水装置。
【請求項３】
前記貯留槽の一部が、前記点検口と対向するように配置され、
前記切替操作ハンドル及び前記開閉操作ハンドルが、前記貯留槽と前記隠蔽壁の点検口との間に配置されていることを特徴とする請求項１又は２に記載の貯給水装置。
【請求項４】
前記給水管における前記貯留槽側の管部分と、前記平常供給管における前記貯留槽側の管部分とが、前記貯留槽から前記隠蔽壁へ向かって突出され、これら管部分のうち一方に前記切替バルブが設けられ、他方に前記開閉バルブが設けられていることを特徴とする請求項３に記載の貯給水装置。
【請求項５】
前記切替バルブ及び前記開閉バルブどうしが、前記点検口の幅方向に離れ、前記切替操作ハンドルが、前記切替バルブにおける前記開閉バルブを向く側部に設けられ、前記開閉操作ハンドルが、前記開閉バルブにおける前記切替バルブを向く側部に設けられていることを特徴とする請求項１〜４の何れか１項に記載の貯給水装置。
【請求項６】
前記給水管の下流端及び前記平常供給管の上流端どうし間の間隔が、前記点検口の幅以下であることを特徴とする請求項１〜５の何れか１項に記載の貯給水装置。
【請求項７】
前記給水管における前記貯留槽側の管部分と、前記平常供給管における前記貯留槽側の管部分のうち一方が、他方よりも前記点検口から離れた位置で前記貯留槽と接続され、かつ前記点検口の近くへ延びていることを特徴とする請求項１〜５の何れか１項に記載の貯給水装置。
【発明の詳細な説明】
【技術分野】
【０００１】
本発明は、例えば住宅等の建物における貯給水装置に関し、特に、断水などの非常時のための貯給水機能を備えた貯給水装置に関する。
【背景技術】
【０００２】
住宅等の建物において、断水等の非常時のための貯給水機能を備えた貯給水装置は公知である（特許文献１〜３等参照）。例えば、特許文献１の貯給水装置は、貯留槽と、平常時と非常時の経路切替え用のバルブを備えている。平常時においては、水道水が貯留槽に一旦貯められたうえで各水栓器に分配される。非常時は、バルブを切り替えるとともに、自転車の空気入れ等の手動空気ポンプを用いて貯留槽に空気圧を導入する。これによって、貯留槽から取水して利用に供することができる。
【０００３】
一般に、貯給水装置は、目立たないよう、床下に設置されている。天井裏に配置される場合もある（特許文献２、３参照）。床又は天井には貯給水装置のための点検口がある。点検口の大きさは、通常６０ｃｍ角程度である。この点検口を開けて、体を内部へ入れて、バルブの操作や点検作業を行なう。
【先行技術文献】
【特許文献】
【０００４】
【特許文献１】特開２０１６−０６９９７５号公報
【特許文献２】特開２０１０−１８５２７２号公報
【特許文献３】特開２０１１−２０７５３５号公報
【発明の概要】
【発明が解決しようとする課題】
【０００５】
前述したように、この種の貯給水装置は、できるだけ目立たないことが求められてきた。通常は、床下や天井裏に設置されるものであるが、目立たない限り、床上スペースに設置することも可能である。ただし、点検口は、できるだけ小さく、かつ少ないことが前提となる。
【課題を解決するための手段】
【０００６】
前記課題を解決するために、本発明に係る貯給水装置は、建物の床上の隠蔽壁によって隠蔽されるように配置され、かつ給水管の下流端及び平常供給管の上流端が接続された貯留槽と、
前記貯留槽から延びる非常供給管と、
ガス圧を導入するガス圧導入部と、
前記給水管及び前記平常供給管のうち一方の管に介在され、前記一方の管を開通させ、かつ前記ガス圧導入部を遮断する平常位置と、前記ガス圧導入部を前記一方の管の貯留槽側の管部分を介して前記貯留槽と連通させ、かつ前記一方の管の貯留槽とは反対側の管部分を遮断する非常位置との間で切り替え操作可能な切替バルブと、
前記給水管及び前記平常供給管のうち他方の管に介在された開閉バルブと、
を備え、前記切替バルブの切替操作ハンドル及び前記開閉バルブの開閉操作ハンドルが、前記隠蔽壁の点検口に臨むように配置されていることを特徴とする。
これによって、点検口を小さくできる。かつ、１つの点検口の近くに切替バルブ及び開閉バルブを集中して配置することで、１つの点検口から切替バルブ及び開閉バルブの両方を操作したり点検したりできる。したがって、点検口の数を少なくできる。ひいては、貯給水装置を床上スペースに配置しても目立たなくすることができる。
前記点検口のサイズは、２１０ｍｍ角以下であることが好ましい。
【０００７】
前記切替操作ハンドル及び前記開閉操作ハンドルどうし間の間隔が、前記点検口の幅以下であることが好ましい。
これによって、切替操作ハンドル及び開閉操作ハンドルを点検口に確実に臨ませることができる。これら切替操作ハンドル及び開閉操作ハンドルどうしは、点検口の前記幅方向に離れていることが好ましい。
貯留槽の幅は、点検口の幅より大きくてもよい。
【０００８】
前記貯留槽の一部が、前記点検口と対向するように配置され、
前記切替操作ハンドル及び前記開閉操作ハンドルが、前記貯留槽と前記隠蔽壁の点検口との間に配置されていることが好ましい。
これによって、貯給水装置をコンパクトにでき、床上に設置してもなるべく目立たないようにすることができる。かつ、点検口からの切替操作ハンドル及び開閉操作ハンドルの操作や点検作業を確実に容易化できる。
【０００９】
前記給水管における前記貯留槽側の管部分と、前記平常供給管における前記貯留槽側の管部分とが、前記貯留槽から前記隠蔽壁へ向かって突出され、これら管部分のうち一方に前記切替バルブが設けられ、他方に前記開閉バルブが設けられていることが好ましい。
これによって、継手の必要数を減らしたり、管部分とバルブをユニット化したりすることで構造を簡素化でき、コストを削減できる。
【００１０】
前記切替バルブ及び前記開閉バルブどうしが、前記点検口の幅方向に離れ、前記切替操作ハンドルが、前記切替バルブにおける前記開閉バルブを向く側部に設けられ、前記開閉操作ハンドルが、前記開閉バルブにおける前記切替バルブを向く側部に設けられていることが好ましい。つまり、前記切替バルブ及び開閉バルブにおける互いに相手側を向く側部に操作ハンドルが設けられていることが好ましい。
これによって、切替操作ハンドル及び開閉操作ハンドルどうしの間隔を狭くでき、点検口が小さくても、これら操作ハンドルが点検口に確実に臨むようにできる。切替バルブ及び開閉バルブどうし間の間隔が点検口の幅より大きくても、切替操作ハンドルのハンドル軸及び開閉操作ハンドルのハンドル軸を長くすることによって、これら操作ハンドルどうしの間隔を点検口の幅以下にして、これら２つの操作ハンドルが点検口に確実に臨むようにできる。
【００１１】
前記給水管の下流端及び前記平常供給管の上流端どうし間の間隔が、前記点検口の幅以下であってもよい。
これによって、貯給水装置を一層コンパクトにできる。
【００１２】
前記給水管における前記貯留槽側の管部分と、前記平常供給管における前記貯留槽側の管部分のうち一方が、他方よりも前記点検口から離れた位置で前記貯留槽と接続され、かつ前記点検口の近くへ延びていてもよい。
これによって、給水管における貯留槽との接続部（給水管の下流端）と平常供給管における貯留槽との接続部（平常供給管の上流端）を互いに遠ざけて配置でき、貯留槽内での水の滞留防止性を確保できる。
【発明の効果】
【００１３】
本発明によれば、点検口を小さくでき、かつ数を少なくでき、貯給水装置を床上スペースに配置しても目立たなくすることができる。
【図面の簡単な説明】
【００１４】
【図１】図１は、本発明の第１実施形態に係る貯給水装置を概略的に示した、図２のＩ−Ｉ線に沿う正面図である。
【図２】図２は、図１のＩＩ−ＩＩ線に沿う、前記貯給水装置を概略的に示す平面図である。
【図３】図３は、前記貯給水装置を概略的に示す斜視図である。
【図４】図４（ａ）は、前記貯給水装置の上側部分を平常時の状態で示す正面図である。図４（ｂ）は、前記貯給水装置の上側部分を非常時の状態で示す正面図である。
【図５】図５は、本発明の第２実施形態に係る貯給水装置を概略的に示す正面図である。
【図６】図６は、本発明の第３実施形態に係る貯給水装置を概略的に示す正面図である。
【図７】図７は、本発明の第４実施形態に係る貯給水装置を概略的に示す平面図である。
【図８】図８は、本発明の第５実施形態に係る貯給水装置を概略的に示す正面図である。
【発明を実施するための形態】
【００１５】
以下、本発明の実施形態を図面にしたがって説明する。
＜第１実施形態＞
図１〜図４は、本発明の第１実施形態を示したものである。図１及び図２に示すように、住宅等の建物の床Ｆ上の居住スペースＳに貯給水設備Ｍが構築されている。貯給水設備Ｍは、貯給水装置１と、隠蔽壁２を備えている。隠蔽壁２は、ふかし壁や作り壁にて構成され、居住スペースＳに面している。隠蔽壁２には点検口２ｃが形成されている。点検口２ｃは、好ましくは２１０ｍｍ角以下の四角形になっており、例えば２００ｍｍ程度の四角形になっている。点検口２ｃの配置高さは、子供のイタズラ回避のために、床Ｆから略１．５ｍ程度ないしはそれ以上であることが好ましい。平常時の点検口２ｃは、扉（図示省略）によって塞がれている。
【００１６】
図１〜図３に示すように、貯給水装置１は、貯留槽１０と、各種管３，２０，３０，４２と、バルブ５０，６０を備えている。貯留槽１０は、円筒形状（パイプ形状）になっている。
なお、本発明における貯留槽１０の形状は、実施形態の円筒形に限られず、滞留防止性や耐圧性等を満足するものであれば、球形、多角形断面の筒形状等であってもよい。貯留槽１０の材質は、飲用水に供用できる耐圧性、浸出性等を満足するものであれば特に限定がなく、金属、樹脂、金属と樹脂の複合材料等を適用できる。
貯留槽１０の大きさに特に限定はないが、好まししくは外直径（ないしは幅）は、点検口２ｃの幅より大きく、例えば２５０ｍｍ程度である。貯留槽１０の高さ（軸長）は、前記外直径より十分に大きく、１ｍ以上〜数ｍ程度であってもよい。詳細な図示は省略するが、隠蔽壁２は、貯留槽１０の全体を覆う高さになっている。
【００１７】
床Ｆ上に貯留槽１０が配置されている。貯留槽１０は、隠蔽壁２の裏側（図２において上側）に設置され、隠蔽壁２によって隠蔽されている。貯留槽１０の軸線は、隠蔽壁２と平行をなして上下に向けられている。貯留槽１０の周壁１１の上側部（一部）が、点検口２ｃと対向するように配置されている。
【００１８】
貯留槽１０に３つの管３，２０，３０が接続されている。
図３に示すように、給水管３は、槽側給水管部分３ａ（貯留槽側の管部分）と、上流側給水管部分３ｂを含む。詳細な図示は省略するが、上流側給水管部分３ｂは、上水道の元管から床下へ延び、更に床下から隠蔽壁２の裏面に沿って立ち上がっている。点検口２ｃの側部で上流側給水管部分３ｂと槽側給水管部分３ａとが交わっている。図２に示すように、槽側給水管部分３ａは、隠蔽壁２と直交するように延び、下流端が貯留槽１０に接続されている。言い換えると、槽側給水管部分３ａは、貯留槽１０から隠蔽壁２へ向かって水平に突出されている。槽側給水管部分３ａは、貯留槽１０の周壁１１の上側部の高さに位置されている。かつ、図１の紙面と直交する正面方向（隠蔽壁２と直交する方向）から見て、槽側給水管部分３ａは、点検口２ｃの側方に配置されている。槽側給水管部分３ａの軸線は、貯留槽１０の内周面の１の接線方向に沿っている。給水管３の直径は、例えば２５ｍｍ程度であるが、本発明がこれに限定されるものではない。
【００１９】
平常供給管２０は、槽側供給管部分２０ａ（貯留槽側の管部分）と、下流管部分２０ｂ（反対側の管部分）を含む。槽側供給管部分２０ａが、貯留槽１０から隠蔽壁２へ向けて水平に突出されている。槽側供給管部分２０ａは、貯留槽１０の周壁１１の上側部における、槽側給水管部分３ａと同じ高さに位置されている。かつ、図１の紙面と直交する正面方向（隠蔽壁２と直交する方向）から見て、槽側供給管部分２０ａは、点検口２ｃを挟んで槽側給水管部分３ａとは反対側における点検口２ｃの側方に配置されている。槽側供給管部分２０ａの軸線は、貯留槽１０の内周面の１の接線方向に沿うとともに、槽側給水管部分３ａと平行になっている。平常供給管２０は、隠蔽壁２の裏側面の近傍で角度を変えて、下流管部分２０ｂが隠蔽壁２に沿って下方へ延びている。下流管部分２０ｂから複数の分配管２２が分岐されている。分配管２２が、浴室、洗面所、台所、トイレ等へ延び、水栓器２３に接続されている。平常供給管２０の直径は、例えば２５ｍｍ程度であるが、本発明がこれに限定されるものではない。
【００２０】
貯留槽１０の下側部に非常供給管３０の上流端が接続されている。非常供給管３０は、貯留槽１０から非常時の取水に便利な場所（例えば浴室等）へ延びている。非常供給管３０の下流端には、非常水栓器３３が設けられている。複数の平常水栓器２３のうちの一部が、非常水栓器３３として供用されていてもよい。
【００２１】
平常供給管２０（一方の管）の槽側供給管部分２０ａには、ガス圧導入路４２（ガス圧導入部）が接続されている。ガス圧導入路４２における平常供給管２０とは反対側（図１において上側）の端部には、コネクタ４３を介して手動空気ポンプ４１が接続可能になっている。手動空気ポンプ４１としては、例えば自転車の空気入れポンプや脚踏みポンプ等を用いることができる。
【００２２】
更に、平常供給管２０の槽側供給管部分２０ａには、切替バルブ５０が設けられている。切替バルブ５０は、レバー５１ｂ（図３）付きの切替操作ハンドル５１を有する手動式三方弁によって構成されている。切替バルブ５０は、ハンドル軸５１ａまわりに所定角度だけ回転可能になっている。切替操作ハンドル５１の回転操作によって、切替バルブ５０が、平常位置と非常位置との間で切り替え可能になっている。平常位置における切替バルブ５０は、平常供給管２０を開通させ、かつガス圧導入路４２を遮断する。非常位置における切替バルブ５０は、ガス圧導入路４２を槽側供給管部分２０ａを介して貯留槽１０と連通させ、かつ下流管部分２０ｂを遮断する。図４（ａ）に示すように、平常位置におけるレバー５１ｂは水平に向けられる。図４（ｂ）に示すように、非常位置におけるレバー５１ｂは垂直に向けられる。
【００２３】
給水管３（他方の管）の槽側給水管部分３ａには、開閉バルブ６０が設けられている。開閉バルブ６０は、レバー６１ｂ（図３）付きの開閉操作ハンドル６１を有する手動式開閉弁によって構成されている。開閉バルブ６０は、ハンドル軸６１ａまわりに所定角度だけ回転可能になっている。開閉操作ハンドル６１の回転操作によって、開閉バルブ６０が、開通位置と閉止位置との間で切り替え可能になっている。開通位置における開閉バルブ６０は、給水管３を開通させる。閉止位置における開閉バルブ６０は、給水管３を閉止する。図４（ａ）に示すように、開通位置におけるレバー６１ｂは水平に向けられる。図４（ｂ）に示すように、閉止位置におけるレバー６１ｂは垂直に向けられる。
【００２４】
開閉バルブ６０の開通位置は、切替操作ハンドル５１の平常位置と対応し、開閉バルブ６０の閉止位置は、非常位置と対応する。
平常位置の切替操作ハンドル５１の向きと、開通位置の開閉操作ハンドル６１の向きは、互いに一致されている。かつ、非常位置の切替操作ハンドル５１の向きと、閉止位置の開閉操作ハンドル６１の向きは、互いに一致されている。例えば、前述したように、平常位置の切替操作ハンドル５１のレバー５１ｂと開通位置の開閉操作ハンドル６１のレバー６１ｂは、共に水平に向けられ（図４（ａ））、非常位置の切替操作ハンドル５１のレバー５１ｂと閉止位置の開閉操作ハンドル６１のレバー６１ｂは、共に垂直に向けられる（図４（ｂ））。両レバー５１ｂ，６１ｂの向きを揃えることで分かり易くでき、誤操作を防止できる。
バルブ５０，６０の近くには、バルブ５０，６０の使用方法を中心とする災害断水時の操作資料を掲示することが望ましい。
【００２５】
切替バルブ５０及び開閉バルブ６０は、１つの点検口２ｃの近くに集中配置されている。詳しくは、図１の紙面と直交する正面方向から見て、切替バルブ５０及び開閉バルブ６０が点検口２ｃを挟んで互いに両側に配置されている。かつ、切替操作ハンドル５１と開閉操作ハンドル６１とが、隠蔽壁２の点検口２ｃに臨むように配置されている。操作ハンドル５１，６１は、互いに向き合うように配置されている。つまり、切替バルブ５０及び開閉バルブ６０における互いに相手側を向く側部に操作ハンドル５１，６１が設けられている。操作ハンドル５１，６１どうし間の間隔は、点検口２ｃの横幅（左右方向の寸法）以下である。
さらに、図２に示すように、平面視において、切替バルブ５０の切替操作ハンドル５１と開閉バルブ６０の開閉操作ハンドル６１とは、貯留槽１０と隠蔽壁２の点検口２ｃとの間に配置されている。
【００２６】
貯給水装置１は、次のように利用される。
平常時、切替操作ハンドル５１は平常位置にされ、かつ開閉操作ハンドル６１は開通位置にされている。
給水管３からの水道水（上水）が、貯留槽１０を経て、平常供給管２０へ送り出される。これによって、水道水を貯留槽１０に常時貯留できるとともに、随時入れ替えることで、貯留槽１０内に同じ水が長期間、滞留するのを防止できる。
【００２７】
災害等による断水時には、点検口２ｃの図示しない開閉扉を開けて、手を挿し入れ、切替操作ハンドル５１を回して非常位置にする。かつ開閉操作ハンドル６１を回して閉止位置にする。１つの点検口２ｃから複数の操作ハンドル５１，６１を操作できる。
また、自転車用手動式空気入れ等の手動空気ポンプ４１をコネクタ４３に接続して、手動操作する。これによって、空気圧（ガス圧）が、ガス圧導入路４２及び槽側供給管部分２０ａを介して、貯留槽１０へ導入される。このガス圧によって、貯留槽１０の水が非常供給管３０へ送り出され、非常水栓器３３から取水できる。これによって、断水時には貯留槽１０の水を利用することができる。
貯給水装置１によれば、床上の貯留槽１０を隠蔽壁２によって隠蔽することで、見栄えが損なわれないようにできる。かつ、点検口２ｃを好ましくは２１０ｍｍ角以下の小サイズにすることで、目立たないようにできる。
保守点検時には、隠蔽壁２の点検口２ｃから切替バルブ５０及び開閉バルブ６０を一括して点検できる。更に、点検口２ｃから貯留槽１０及び配管３，２０，３０を一括して点検できる。
バルブ５０，６０の離間距離が点検口２ｃの幅より大きくても、ハンドル軸５１ａ，６１ａを長くすることによって、操作ハンドル５１，６１が点検口２ｃに臨むようにできる。
槽側給水管部分３ａ及び槽側供給管部分２０ａを貯留槽１０から隠蔽壁２へ向けて突出させることで、これら管部分３ａ，２０ａの所要長さを短くできる。更に、各管部分３ａ，２０ａにバルブ６０，５０を設けることによって、継手の必要数を減らしたり、管部分とバルブをユニット化したりすることで構造を簡素化でき、コストを削減できる。
【００２８】
次に、本発明の他の実施形態を説明する。以下の実施形態において既述の形態と重複する構成に関しては図面に同一符号を付して説明を省略する。
＜第２実施形態＞
図５は、本発明の第２実施形態を示したものである。第２実施形態の貯給水装置１Ｂにおいては、平常供給管２０と給水管３とが、第１実施形態（図１）よりも近接して配置され、ひいては切替バルブ５０と開閉バルブ６０とが近接して配置されている。切替バルブ５０と開閉バルブ６０の離間距離は、点検口２ｃの幅よりも小さい。図５の紙面と直交する正面方向から見て、切替バルブ５０及び開閉バルブ６０が点検口２ｃの内側に配置されている。
貯給水装置１Ｂによれば、点検口２ｃを通して操作ハンドル５１，６１だけでなく、切替バルブ５０及び開閉バルブ６０の本体部や管３，２０をも視認でき、保守点検を容易化できる。
【００２９】
＜第３実施形態＞
図６は、本発明の第３実施形態を示したものである。第３実施形態の貯給水装置１Ｃにおいては、図６の紙面と直交する正面方向から見て、貯留槽１０の軸線が点検口２ｃの中央部からずれて配置されている。平常供給管２０と給水管３とは、互いに近接して配置されている。ひいては、切替バルブ５０と開閉バルブ６０とが近接して配置されている。切替バルブ５０と開閉バルブ６０の離間距離は、点検口２ｃの幅よりも小さい。図６の紙面と直交する正面方向から見て、切替バルブ５０及び開閉バルブ６０が点検口２ｃの内側に配置されている。操作ハンドル５１，６１は、互いに同じ向きへ向けられている。
貯給水装置１Ｃにおいても、点検口２ｃを通して操作ハンドル５１，６１だけでなく、切替バルブ５０及び開閉バルブ６０の本体部や管部分３ａ，２０ａをも視認でき、保守点検を容易化できる。さらに、管３，２０どうし及びバルブ５０，６０どうしを近づけることで、貯給水装置１Ｃをコンパクトな構造にすることができる。
【００３０】
＜第４実施形態＞
図７は、本発明の第４実施形態を示したものである。第４実施形態の貯給水装置１Ｄにおいては、平常供給管２０の槽側供給管部分２０ａが、貯留槽１０の周壁１１における点検口２ｃとは反対側の側部に接続されている。そこから槽側供給管部分２０ａが点検口２ｃ側へ回り込むように配管されている。これによって、第１実施形態（図２）と同様に、切替バルブ５０が点検口２ｃの近くに配置され、切替操作ハンドル５１が点検口２ｃに臨んでいる。ひいては、バルブ５０，６０が点検口２ｃを挟んで両側に配置され、操作ハンドル５１，６１どうしが互いに対向されている。
貯給水装置１Ｄによれば、給水管３における貯留槽１０との接続部と平常供給管２０における貯留槽１０との接続部を互いに遠ざけて配置でき、それだけ水道水が貯留槽１０内を広範囲に流動するようにでき、滞留防止性を確保できる。
【００３１】
＜第５実施形態＞
図８は、本発明の第５実施形態を示したものである。第５実施形態の貯給水装置１Ｅにおいては、貯留槽１０の軸線が水平方向へ向けられている。貯留槽１０の周壁１１における軸線方向の一端側（図８において右側）の部分が、点検口２ｃと対向している。
平常供給管２０の槽側供給管部分２０ａは、点検口２ｃの近くにおいて貯留槽１０に接続されている。
一方、給水管３の槽側給水管部分３ａは、槽側供給管部分２０ａよりも点検口２ｃから離れた位置で貯留槽１０と接続されている。すなわち、槽側給水管部分３ａは、点検口２ｃの近くから貯留槽１０の軸線方向の他端側（図８において左側）へ延び、貯留槽１０の周壁１１の前記他端側の部分に接続されている。
バルブ５０，６０が点検口２ｃを挟んで両側に配置され、操作ハンドル５１，６１どうしが互いに対向されるとともに点検口２ｃに臨んでいる点は、第１実施形態（図１）と同様である。
【００３２】
非常供給管３０は、貯留槽１０の周壁１１の前記他端側（図８において左側）の部分における下側部に接続されている。なお、非常供給管３０の貯留槽１０への接続位置は、これに限定されるものではなく、貯留槽１０の一端側（図８において左側）の部分に接続されていてもよい。
【００３３】
本発明は、前記実施形態に限定されるものではなく、その趣旨に反しない限りにおいて種々の改変をなすことができる。
例えば、ガス圧導入路４２が、給水管３に接続されていてもよい。切替バルブ５０が、給水管３に介在されていてもよい。開閉バルブ６０が、平常供給管２０に介在されていてもよい。
操作ハンドル５１，６１の位置は、点検口２ｃから操作できる限りにおいて、特に制約はない。
第１実施形態（図１〜図３）の貯給水装置１において、給水管３及び平常供給管２０が、貯留槽１０の上面に接続されていてもよい。
第４実施形態（図７）の貯給水装置１Ｄにおいて、平常供給管２０に代えて、給水管３の槽側給水管部分３ａが、貯留槽１０の点検口２ｃとは反対側の側部に接続され、そこから点検口２ｃ側へ回り込むように配管されていてもよい。
第５実施形態（図８）の貯給水装置１Ｅにおいて、給水管３が点検口２ｃの近くにおいて貯留槽１０と接続され、平常供給管２０が点検口２ｃから離れた位置で貯留槽１０と接続されていてもよい。
【産業上の利用可能性】
【００３４】
本発明は、例えば災害対策として貯留された水道水の取水システムに適用可能である。
【符号の説明】
【００３５】
Ｆ        床
１、１Ｂ〜１Ｅ    貯給水装置
２        隠蔽壁
２ｃ      点検口
３        給水管（他方の管）
３ａ      槽側給水管部分（他方の管の貯留槽側の管部分）
３ｂ      上流側給水管部分（他方の管の貯留槽とは反対側の管部分）
１０      貯留槽
２０      平常供給管（一方の管）
２０ａ    槽側供給管部分（一方の管の貯留槽側の管部分）
２０ｂ    下流管部分（一方の管の貯留槽とは反対側の管部分）
３０      非常供給管
４２      ガス圧導入路（ガス圧導入部）
５０      切替バルブ
５１      切替操作ハンドル
６０      開閉バルブ
６１      開閉操作ハンドル
【図１】
0006693815.tif 000002
【図２】
0006693815.tif 000003
【図３】
0006693815.tif 000004
【図４】
0006693815.tif 000005
【図５】
0006693815.tif 000006
【図６】
0006693815.tif 000007
【図７】
0006693815.tif 000008
【図８】
0006693815.tif 000009